(57)【要約】【課題】異なる端末を用いて異なるウェブサービスを利用した場合においても、当該ユーザにとって利便性の高い情報を提供できるウェブサービスを備えたウェブサービスシステムを提供する。【解決手段】携帯電話２は、第１のウェブサービス６を利用する際のユーザアカウントと、当該ウェブサービス６を特定する情報とを含む組情報を作成する組情報作成部１０を備えている。第１のウェブサービス６は、組情報に基づいて、携帯電話２が第１のウェブサービス６を利用した際の利用情報を取得する利用情報取得部２４を備えている。第２のウェブサービス８は、第２のウェブサービス８内の、上記利用情報に関連する情報を、推薦情報として取得する推薦情報取得部３４を備えている。テレビ４は、上記推薦情報を受信する推薦情報受信部１８と、上記推薦情報を表示する推薦情報表示部２０とを備えている。【選択図】図１
2011018310.tif 000002
【特許請求の範囲】
【請求項１】
第１のウェブサービスと、第２のウェブサービスと、上記第１のウェブサービスを利用する第１の端末と、上記第２のウェブサービスを利用する第２の端末とを備えるウェブサービスシステムにおいて、
上記第１の端末は、
上記第１のウェブサービスを利用する際のユーザアカウントと、当該ウェブサービスを特定する情報とを含む組情報を作成する組情報作成手段と、
上記組情報を送信する第１の組情報送信手段とを備えており、
上記第２のウェブサービスは、
上記組情報を受信する第１の組情報受信手段と、
上記受信した組情報を上記第１のウェブサービスに送信する第２の組情報送信手段と、
上記第１のウェブサービスから送信された、上記第１の端末が上記第１のウェブサービスを利用した際の利用情報を受信する利用情報受信手段と、
上記第２のウェブサービス内の、上記利用情報に関連する情報を、ユーザに推薦する推薦情報として取得する推薦情報取得手段と、
上記推薦情報を上記第２の端末に送信する推薦情報送信手段とを備えており、
上記第１のウェブサービスは、
上記組情報を受信する第２の組情報受信手段と、
上記受信した組情報に基づいて、上記利用情報を取得する利用情報取得手段と、
上記利用情報を上記第２のウェブサービスに送信する利用情報送信手段とを備えており、
上記第２の端末は、
上記第２のウェブサービスから送信された上記推薦情報を受信する推薦情報受信手段と、
上記推薦情報を表示する推薦情報表示手段とを備えているウェブサービスシステム。
【請求項２】
上記第２の端末は、
上記組情報を受信する第３の組情報受信手段と、
上記受信した組情報を上記第２のウェブサービスに送信する第３の組情報送信手段とを備えており、
上記第１の組情報送信手段は、上記組情報を上記第２の端末に送信することを特徴とする請求項１に記載のウェブサービスシステム。
【請求項３】
上記第１の端末は、ユーザアカウントを第一のウェブサービスの公開鍵を用いて、暗号化することを特徴とする請求項１または２に記載のウェブサービスシステム。
【請求項４】
上記第一のウェブサービスは、暗号化されたユーザアカウントを秘密鍵を用いて、複号化することを特徴とする請求項３に記載のウェブサービスシステム。
【請求項５】
上記利用情報取得手段は、上記利用情報として、上記第１の端末が上記第１のウェブサービスを利用して購買した商品についての購買履歴情報を取得することを特徴とする請求項１から４までの何れか１項に記載のウェブサービスシステム。
【請求項６】
上記利用情報取得手段は、上記購買履歴情報として、商品番号、商品名、商品のジャンル、商品の価格、商品の大きさ、商品の名称により分類されたグループ、または商品の種類についての情報を取得することを特徴とする請求項５に記載のウェブサービスシステム。
【請求項７】
上記推薦情報取得手段は、上記第２のウェブサービス内の上記利用情報に関連する情報と、上記第１のウェブサービスから送信された上記利用情報とを合成した情報をユーザに推薦する推薦情報として取得することを特徴とする請求項１または２に記載のウェブサービスシステム。
【請求項８】
上記利用情報取得手段は、上記利用情報として、上記第１のウェブサービスの地図上において、上記第１の端末が検索した位置についての位置情報を取得することを特徴とする請求項７に記載のウェブサービスシステム。
【請求項９】
上記利用情報取得手段は、
上記商品についての評価に関する評価情報をさらに取得し、
上記利用情報送信手段は、
上記利用情報に上記評価情報を関連付けて上記第２のウェブサービスに送信し、
上記推薦情報取得手段は、
上記第２のウェブサービス内の、上記利用情報および上記評価情報に関連する情報を、ユーザに推薦する推薦情報として取得することを特徴とする請求項５に記載のウェブサービスシステム。
【請求項１０】
上記利用情報取得手段は、
上記利用情報を複数取得し、
上記利用情報送信手段は、
上記複数の利用情報のうち予め優先度が最も高く設定されている利用情報を上記第２のウェブサービスに送信することを特徴とする請求項１から９のいずれか１項に記載のウェブサービスシステム。
【請求項１１】
上記利用情報取得手段は、
上記利用情報を複数取得し、
上記利用情報送信手段は、
上記取得した複数の利用情報全てを上記第２のウェブサービスに送信し、
上記推薦情報取得手段は、
上記複数の利用情報のうち予め優先度が最も高く設定されている利用情報を特定し、当該利用情報に関連する情報を推薦情報として取得することを特徴とする請求項１から９のいずれか１項に記載のウェブサービスシステム。
【請求項１２】
上記第１の端末は、ネットワークに接続可能な情報家電であることを特徴とする請求項１から１１のいずれか１項に記載のウェブサービスシステム。
【請求項１３】
上記第２の端末は、ネットワークに接続可能な情報家電であることを特徴とする請求項１から１２のいずれか１項に記載のウェブサービスシステム。
【請求項１４】
上記組情報は、上記ユーザアカウントに対応するパスワードを含むことを特徴とする請求項１から１２のいずれか１項に記載のウェブサービスシステム。
【請求項１５】
上記第１の端末は、複数あることを特徴とする請求項１から１４のいずれか１項に記載のウェブサービスシステム。
【請求項１６】
上記第１のウェブサービスは、複数あることを特徴とする請求項１から１５のいずれか１項に記載のウェブサービスシステム。
【請求項１７】
上記組情報は、複数あることを特徴とする請求項１から１６のいずれか１項に記載のウェブサービスシステム。
【請求項１８】
請求項１から１７のいずれか１項に記載のウェブサービスシステムを動作させるプログラムであって、コンピュータを上記の各手段として機能させるためのプログラム。
【請求項１９】
請求項１８に記載のプログラムを記録しているコンピュータ読み取り可能な記録媒体。
【発明の詳細な説明】
【技術分野】
【０００１】
本発明は、ユーザにサービスを提供するウェブサービスを備えたウェブサービスシステム、プログラム、および、記録媒体に関するものである。
【背景技術】
【０００２】
近年、ウェブサービスを利用して、ユーザがコンテンツなどを購入したり、生活支援に関する情報を得たりするサービスが普及している。このようなウェブサービスにおいて、ウェブサービス側が、同一のユーザが購入したコンテンツの履歴を利用して当該ユーザの好みを分析し、ユーザに推薦コンテンツを提供するサービスがある。これによりユーザは、新しいコンテンツについて特に検索をしなくとも、好みに即したコンテンツの情報を得ることができる。したがって、ユーザにとって利便性が高まる。
【０００３】
特許文献１には、自サイト（ウェブサービス）に履歴がなくとも、他のサイトの履歴を利用して、新商品情報やキャンペーン情報を受信できる技術が開示されている。これによりユーザは、１つのサイトだけではアクセス履歴および購入履歴が少ないため統計をとることが難しい商品についても意味のある分析結果を収集できる。
【先行技術文献】
【特許文献】
【０００４】
【特許文献１】特開２００５−６３１６４号公報（公開日：２００５年  ３月１０日）
【発明の概要】
【発明が解決しようとする課題】
【０００５】
しかしながら、特許文献１に記載の技術においては、以下の問題がある。すなわち、サーバは全てのサイトから送信されてきた履歴データの分析処理を行なうため、当該ユーザの好みに即した情報を提供することができない。また、サイト同士が情報を共有することができないため、ユーザが異なる端末を用いて異なるサイトを利用した場合に、当該ユーザの好みに即した情報を提供することができない。
【０００６】
本発明は上記の問題に鑑みてなされたものであり、その目的は、異なる端末を用いて異なるウェブサービスを利用した場合においても、当該ユーザにとって利便性の高い情報を提供できるウェブサービスを備えたウェブサービスシステムを提供することにある。
【課題を解決するための手段】
【０００７】
上記課題を解決するために、本発明に係るウェブサービスシステムは、第１のウェブサービスと、第２のウェブサービスと、上記第１のウェブサービスを利用する第１の端末と、上記第２のウェブサービスを利用する第２の端末とを備えるウェブサービスシステムにおいて、上記第１の端末は、上記第１のウェブサービスを利用する際のユーザアカウントと、当該ウェブサービスを特定する情報とを含む組情報を作成する組情報作成手段と、上記組情報を送信する第１の組情報送信手段とを備えており、上記第２のウェブサービスは、上記組情報を受信する第１の組情報受信手段と、上記受信した組情報を上記第１のウェブサービスに送信する第２の組情報送信手段と、上記第１のウェブサービスから送信された、上記第１の端末が上記第１のウェブサービスを利用した際の利用情報を受信する利用情報受信手段と、上記第２のウェブサービス内の、上記利用情報に関連する情報を、ユーザに推薦する推薦情報として取得する推薦情報取得手段と、上記推薦情報を上記第２の端末に送信する推薦情報送信手段とを備えており、上記第１のウェブサービスは、上記組情報を受信する第２の組情報受信手段と、上記受信した組情報に基づいて、上記利用情報を取得する利用情報取得手段と、上記利用情報を上記第２のウェブサービスに送信する利用情報送信手段とを備えており、上記第２の端末は、上記第２のウェブサービスから送信された上記推薦情報を受信する推薦情報受信手段と、上記推薦情報を表示する推薦情報表示手段とを備えていることを特徴としている。
【０００８】
上記の構成によれば、本発明のウェブサービスシステムにおいて、上記第１の端末は、上記第１のウェブサービスを利用する際のユーザアカウントと、当該ウェブサービスを特定する情報とを含む組情報を作成し、上記組情報を送信する。上記第２のウェブサービスは、上記組情報を受信し、上記受信した組情報を上記第１のウェブサービスに送信する。上記第１のウェブサービスは、上記組情報を受信し、上記受信した組情報に基づいて、上記第１の端末が上記第１のウェブサービスを利用した際の利用情報を取得し、上記利用情報を上記第１のウェブサービスに送信する。上記第２のウェブサービスは、上記利用情報を受信し、上記第２のウェブサービス内の、上記利用情報に関連する情報を、推薦情報として取得し、上記推薦情報を上記第２の端末に送信する。上記第２の端末は、上記第２のウェブサービスから送信された上記推薦情報を受信し、上記推薦情報を表示する。したがって、ユーザは、上記第１の端末を用いて利用した上記第１のウェブサービスと異なる上記第２のウェブサービスを、上記第２の端末を用いて初めて利用する場合においても、上記第２のウェブサービス内の情報のうち、当該ユーザにとって利便性の高い推薦情報を取得できる効果を奏する。
【０００９】
本発明に係るウェブサービスシステムにおける上記第２の端末は、上記組情報を受信する第３の組情報受信手段と、上記受信した組情報を上記第２のウェブサービスに送信する第３の組情報送信手段とを備えており、上記第１の組情報送信手段は、上記組情報を上記第２の端末に送信することが好ましい。
【００１０】
上記の構成によれば、上記第１の組情報送信手段は、上記組情報を上記第２の端末に送信する。上記第２の端末は、上記組情報を受信し、上記受信した組情報を上記第２のウェブサービスに送信する。したがって、上記第２のウェブサービスは、上記利便性の高い情報を提供する対象となる上記第２の端末を容易に特定できるという更なる効果を奏する。
【００１１】
本発明に係るウェブサービスシステムにおける第１の端末は、ユーザアカウントを第一のウェブサービスの公開鍵を用いて、暗号化することが好ましく、また、上記第一のウェブサービスが、暗号化されたユーザアカウントを秘密鍵を用いて、複号化することが好ましい。
【００１２】
上記の構成によれば、ユーザアカウントについてのセキュリティが高まり、ユーザに、より安全にサービスを提供することができるという更なる効果を奏する。
【００１３】
本発明に係るウェブサービスシステムにおける上記利用情報取得手段は、上記利用情報として、上記第１の端末が上記第１のウェブサービスを利用して購買した商品についての購買履歴情報を取得することが好ましい。
【００１４】
上記の構成によれば、上記利用情報取得手段は、上記第１の端末が上記第１のウェブサービスを利用して購買した商品についての購買履歴情報を取得する。したがって、上記推薦情報送信手段は、ユーザが実際に購入した商品に関連する、上記第２のウェブサービス内の推薦情報を上記第２の端末に提供できるという更なる効果を奏する。
【００１５】
本発明に係るウェブサービスシステムにおける上記利用情報取得手段は、上記購買履歴情報として、商品番号、商品名、商品のジャンル、商品の価格、商品の大きさ、商品の名称により分類されたグループ、または商品の種類についての情報を取得することが好ましい。
【００１６】
上記の構成によれば、上記利用情報取得手段は、商品番号、商品名、商品のジャンル、商品の価格、商品の大きさ、商品の名称により分類されたグループ、または商品の種類に関連する、上記第２のウェブサービス内の推薦情報を上記第２の端末に提供できるという更なる効果を奏する。
【００１７】
本発明に係るウェブサービスシステムにおける上記推薦情報取得手段は、上記第２のウェブサービス内の上記利用情報に関連する情報と、上記第１のウェブサービスから送信された上記利用情報とを合成した情報をユーザに推薦する推薦情報として取得することが好ましい。
【００１８】
上記の構成によれば、上記推薦情報取得手段は、上記第２のウェブサービス内の上記利用情報に関連する情報と、上記第１のウェブサービスから送信された上記利用情報とを合成した情報を推薦情報として取得する。したがって、上記推薦情報送信手段は、上記利用情報と上記利用情報に関連する情報とを合成した情報を上記第２の端末に提供できるという更なる効果を奏する。
【００１９】
本発明に係るウェブサービスシステムにおける上記利用情報取得手段は、上記利用情報として、上記第１のウェブサービスの地図上において、上記第１の端末が検索した位置についての位置情報を取得することが好ましい。
【００２０】
上記の構成によれば、上記利用情報取得手段は、上記利用情報として、上記第１のウェブサービスの地図上において、上記第１の端末が検索した位置についての位置情報を取得する。したがって、上記推薦情報送信手段は、ユーザが実際に検索した位置についての位置情報と、上記第２のウェブサービス内の位置情報とを合成した位置情報を上記第２の端末に提供できるという更なる効果を奏する。
【００２１】
本発明に係るウェブサービスシステムにおける、上記利用情報取得手段は、上記商品についての評価に関する評価情報をさらに取得し、上記利用情報送信手段は、上記利用情報に上記評価情報を関連付けて上記第２のウェブサービスに送信し、上記推薦情報取得手段は、上記第２のウェブサービス内の、上記利用情報および上記評価情報に関連する情報を、ユーザに推薦する推薦情報として取得することが好ましい。
【００２２】
上記の構成によれば、上記利用情報取得手段は、上記商品についての評価に関する評価情報を取得する。上記利用情報送信手段は、上記利用情報に上記評価情報を関連付けて上記第２のウェブサービスに送信する。上記推薦情報取得手段は、上記第２のウェブサービス内の、上記利用情報および上記評価情報に関連する情報を、ユーザに推薦する推薦情報として取得する。
【００２３】
したがって、上記推薦情報送信手段は、他のユーザによる商品についての評価に関連する、上記第２のウェブサービス内の推薦情報を上記第２の端末に提供できるという更なる効果を奏する。
【００２４】
本発明に係るウェブサービスシステムにおける、上記利用情報取得手段は、上記利用情報を複数取得し、上記利用情報送信手段は、上記複数の利用情報のうち予め優先度が最も高く設定されている利用情報を上記第２のウェブサービスに送信することをことが好ましい。
【００２５】
上記の構成によれば、上記利用情報取得手段は、上記利用情報を複数取得する。上記利用情報送信手段は、上記複数の利用情報のうち予め優先度が最も高く設定されている利用情報を上記第２のウェブサービスに送信する。したがって、上記推薦情報取得手段は、予め優先度が高く設定されている利用情報に関連する推薦情報を取得できるという更なる効果を奏する。
【００２６】
本発明に係るウェブサービスシステムにおける、上記利用情報取得手段は、上記利用情報を複数取得し、上記利用情報送信手段は、上記取得した複数の利用情報全てを上記第２のウェブサービスに送信し、上記推薦情報取得手段は、上記複数の利用情報のうち予め優先度が最も高く設定されている利用情報を特定し、当該利用情報に関連する情報を推薦情報として取得することが好ましい。
【００２７】
上記の構成によれば、上記利用情報取得手段は、上記利用情報を複数取得する。上記利用情報送信手段は、上記取得した複数の利用情報全てを上記第２のウェブサービスに送信する。上記推薦情報取得手段は、上記複数の利用情報のうち予め優先度が最も高く設定されている利用情報を特定し、当該利用情報に関連する情報を推薦情報として取得する。したがって、上記推薦情報送信手段は、予め優先度が高く設定されている利用情報に関連する推薦情報を上記第２の端末に提供できるという更なる効果を奏する。
【００２８】
本発明に係るウェブサービスシステムにおける上記第１の端末は、ネットワークに接続可能な情報家電であることが好ましい。
【００２９】
上記の構成によれば、上記第１の端末は、ネットワークに接続可能な情報家電である。すなわち、上記第１の端末として、ネットワークに接続可能な電子辞書、携帯用音楽プレイヤー、またはパソコンを用いることができるという更なる効果を奏する。
【００３０】
本発明に係るウェブサービスシステムにおける上記第２の端末は、ネットワークに接続可能な情報家電であることが好ましい。
【００３１】
上記の構成によれば、上記第２の端末は、ネットワークに接続可能な情報家電である。すなわち、上記第２の端末として、ネットワークに接続可能な電子辞書、携帯用音楽プレイヤー、またはパソコンを用いることができるという更なる効果を奏する。
【００３２】
本発明に係るウェブサービスシステムにおける上記組情報は、上記ユーザアカウントに対応するパスワードを含むことが好ましい。
【００３３】
上記の構成によれば、上記組情報は、上記ユーザアカウントに対応するパスワードを含んでいる。これにより、ユーザアカウントについてのセキュリティが高まる。したがって、ユーザに、より安全にサービスを提供することができるという更なる効果を奏する。
【００３４】
本発明に係るウェブサービスシステムにおける上記第１の端末は、複数あることが好ましい。
【００３５】
上記の構成によれば、上記第１の端末は複数存在する。したがって、複数のユーザが異なる上記第１の端末を用いることができる。また同じユーザが異なる上記第１の端末各々を用いることができるという更なる効果を奏する。
【００３６】
本発明に係るウェブサービスシステムにおける上記第１のウェブサービスは、複数あることが好ましい。
【００３７】
上記の構成によれば、上記第１のウェブサービスは複数存在する。したがって、ユーザは、上記第１の端末を用いて複数の第１のウェブサービスを利用することができるという更なる効果を奏する。
【００３８】
本発明に係るウェブサービスシステムにおける上記組情報は、複数あることが好ましい。
【００３９】
上記の構成によれば、上記組情報は複数存在する。これにより、上記第１のウェブサービスは、上記組情報各々に基づいた上記利用情報各々を取得できる。すなわち、上記第２のウェブサービスは、上記利用情報各々に基づいた上記推薦情報各々を上記第２の端末に送信できる。したがって、上記第２の端末は、ユーザにとって利便性の高いより多くの上記推薦情報を受信できるという更なる効果を奏する。
【００４０】
なお、上記ウェブサービスシステムは、コンピュータによって実現してもよい。この場合、コンピュータを上記各手段として動作させることにより上記ウェブサービスシステムをコンピュータにおいて実現するプログラム、およびそのプログラムを記録したコンピュータ読み取り可能な記録媒体も、本発明の範疇に入る。
【発明の効果】
【００４１】
本発明に係るウェブサービスシステムは、以上のように、第１のウェブサービスと、第２のウェブサービスと、上記第１のウェブサービスを利用する第１の端末と、上記第２のウェブサービスを利用する第２の端末とを備えるウェブサービスシステムにおいて、上記第１の端末は、上記第１のウェブサービスを利用する際のユーザアカウントと、当該ウェブサービスを特定する情報とを含む組情報を作成する組情報作成手段と、上記組情報を送信する第１の組情報送信手段とを備えており、上記第２のウェブサービスは、上記組情報を受信する第１の組情報受信手段と、上記受信した組情報を上記第１のウェブサービスに送信する第２の組情報送信手段と、上記第１のウェブサービスから送信された、上記第１の端末が上記第１のウェブサービスを利用した際の利用情報を受信する利用情報受信手段と、上記第２のウェブサービス内の、上記利用情報に関連する情報を、ユーザに推薦する推薦情報として取得する推薦情報取得手段と、上記推薦情報を上記第２の端末に送信する推薦情報送信手段とを備えており、上記第１のウェブサービスは、上記組情報を受信する第２の組情報受信手段と、上記受信した組情報に基づいて、上記利用情報を取得する利用情報取得手段と、上記利用情報を上記第２のウェブサービスに送信する利用情報送信手段とを備えており、
上記第２の端末は、上記第２のウェブサービスから送信された上記推薦情報を受信する推薦情報受信手段と、上記推薦情報を表示する推薦情報表示手段とを備えている。
【００４２】
したがって、ユーザは、上記第１の端末を用いて利用した上記第１のウェブサービスと異なる上記第２のウェブサービスを、上記第２の端末を用いて初めて利用する場合においても、上記第２のウェブサービス内の情報のうち、当該ユーザにとって利便性の高い推薦情報を取得できる。
【図面の簡単な説明】
【００４３】
【図１】本発明の一実施形態に係るウェブサービスシステムの要部構成を示すブロック図である。
【図２】本発明の一実施形態に係るウェブサービスシステムの構成を示す図である。
【図３】本発明の一実施形態に係るウェブサービスシステムの他の構成を示す図である。
【図４】本発明の一実施形態に係るウェブサービスシステムにおける情報を提供された際のテレビの表示画面を示す図である。
【図５】本発明の一実施形態に係るウェブサービスシステムの他の構成を示す図である。
【発明を実施するための形態】
【００４４】
〔実施形態１〕
本発明に係るウェブサービスシステム１の一実施形態について、図を参照して以下に説明する。
【００４５】
（ウェブサービスシステム１の構成）
まず、本実施形態に係るウェブサービスシステム１の構成について、図２を参照して説明する。図２は、ウェブサービスシステム１の構成を示す図である。図２に示すように、ウェブサービスシステム１は、携帯電話２、テレビ４、第１のウェブサービス６、および第２のウェブサービス８を備えている。なお、第１のウェブサービス６および第２のウェブサービス８は、インターネット上のサイトである。
【００４６】
（ウェブサービスシステム１の要部構成）
次に、ウェブサービスシステム１における各ユニットの要部構成について、図１を参照して以下に説明する。図１は、本発明の一実施形態に係るウェブサービスシステム１における各ユニットの要部構成を示すブロック図である。
【００４７】
図１に示すように、ウェブサービスシステム１の携帯電話２は、組情報作成部１０および組情報送信部１２を備えている。テレビ４は、組情報受信部１４、組情報送信部１６、推薦情報受信部１８、および推薦情報表示部２０を備えている。第１のウェブサービス６は、組情報受信部２２、利用情報取得部２４、および利用情報送信部２６を備えている。第２のウェブサービス８は、組情報受信部２８、組情報送信部３０、利用情報受信部３２、推薦情報取得部３４、および推薦情報送信部３６を備えている。
【００４８】
（ウェブサービスシステム１における処理）
次に、ウェブサービスシステム１における処理について図１および図２を参照して説明する。
【００４９】
まず、ユーザは、携帯電話２を用いて、第１のウェブサービス６において書籍を購入する。この際に、携帯電話２の組情報作成部１０は、第１のウェブサービス６のＵＲＩと、携帯電話２が第１のウェブサービス６を利用した際のユーザアカウント（ＩＤ）とを含む組情報を作成して保存する。
【００５０】
次に、携帯電話２の組情報送信部１２は、当該組情報をテレビ４に送信する。テレビ４の組情報受信部１４は、当該組情報を受信する。次に、テレビ４の組情報送信部１６は、当該組情報を第２のウェブサービス８に送信する。
【００５１】
第２のウェブサービス８の組情報受信部２８は、当該組情報を受信する。次に、第２のウェブサービス８の組情報送信部３０は、第１のウェブサービス６に当該組情報を送信する。第１のウェブサービス６の組情報受信部２２は、当該組情報を受信する。次に、第１のウェブサービス６の利用情報取得部２４は、当該組情報、すなわち第１のウェブサービス６のＵＲＩと、携帯電話２のユーザアカウントとから、ユーザが携帯電話２を用いて第１のウェブサービス６において購入した書籍を特定し、当該書籍に関する情報（利用情報）を取得する。なお、この当該書籍に関する情報については、参照する図面を替えて詳しくは後述する。次に、第１のウェブサービス６の利用情報送信部２６は、当該書籍に関する情報を第２のウェブサービス８に送信する。第２のウェブサービス８の利用情報受信部３２は、当該書籍に関する情報を受信する。次に、第２のウェブサービス８の推薦情報取得部３４は、第１のウェブサービス６から取得した当該書籍に関する情報に関連する、第２のウェブサービス８内の書籍を特定し、当該書籍に関する情報（推薦情報）を取得する。
【００５２】
次に、第２のウェブサービス８の推薦情報送信部３６は、この第２のウェブサービス８内の書籍に関する情報をテレビ４に送信する。テレビ４の推薦情報受信部１８は、この情報を受信する。次に、テレビ４の推薦情報表示部２０は、この情報をテレビ４の表示画面に表示する。
【００５３】
これにより、ユーザは、テレビ４を用いて第２のウェブサービス８を初めて利用する場合であっても、第２のウェブサービス８内の書籍のうち、当該ユーザの好みに即した書籍に関する情報をテレビ４の表示画面において認識することができる。
【００５４】
また、本実施形態においては、第２のウェブサービス８は、携帯電話２からテレビ４を経由して組情報を受信した。しかしながら、第２のウェブサービス８は、携帯電話２から直接組情報を受信してもよい。このことを図３を参照して説明する。
【００５５】
図３に示すように、携帯電話２の組情報送信部１２は、組情報を第２のウェブサービス８に送信する。第２のウェブサービス８の組情報受信部２８は、当該組情報を受信する。次に、第２のウェブサービス８は、図２を参照して説明したのと同様に、第１のウェブサービス６に組情報を送信し、第１のウェブサービス６から利用情報を取得する。なお、第２のウェブサービス８は、第１のウェブサービス６に送信した組情報に含まれる情報を第２のウェブサービス８内に保存する。次に、第２のウェブサービス８はこの利用情報に関連する推薦情報を第２のウェブサービス８内に保存する。
【００５６】
また、第２のウェブサービス８におけるこの処理とは別に、テレビ４は、第２のウェブサービス８に情報を要求する信号を送信する。第２のウェブサービス８はこの信号を受信した際に、受信した信号に含まれるユーザアカウントと、同じユーザアカウントを含む保存しておいた組情報とをマッチング処理する。次に、マッチング処理によって特定した組情報に対応する保存しておいた推薦情報をテレビ４に送信する。
【００５７】
また、第２のウェブサービス８は、組情報を第１のウェブサービスに送信する前に、当該組情報を第２のウェブサービス８内に保存しておくようにしてもよい。この場合には、後にテレビ４から情報を要求する信号を受信した際に、当該信号に含まれるユーザアカウントと、第２のウェブサービス８内に保存しておいた組情報に含まれるユーザアカウントとをマッチング処理する。これにより、テレビ４と同じユーザアカウントを含む組情報を特定し、当該組情報を第１のウェブサービス６に送信し、第１のウェブサービス６から利用情報を取得する。これにより、推薦情報をテレビ４に送信する。
【００５８】
また、第２のウェブサービス８が携帯電話２から直接組情報を受信する場合には、例えば以下のことが可能となる。ユーザが携帯電話２を用いて第１のウェブサービス６を日常的に用いている場合に、まず、ユーザは契約済みの駅の無線ＬＡＮスポットである、第２のウェブサービス８における認証サービスの通信可能圏内に近づく。次に、携帯電話２からユーザアカウントとパスワードとを含む組情報を送信し、インターネットにおける第２のウェブサービス８に接続する。
【００５９】
次に、ユーザは、駅の無線ＬＡＮサーバなどの第２のウェブサービス８における認証サービスにおいて、同じユーザアカウントを用いてテレビ４からアクセスする。次に、第２のウェブサービス８は、テレビ４のユーザアカウントと携帯電話２のユーザアカウントとをマッチング処理する。これにより、上述したように、第２のウェブサービス８はテレビ４に推薦情報を送信することができる。さらに、当該駅の無線ＬＡＮサーバにおいて、当該ユーザアカウントを用いて第２のウェブサービス８に、その後自由にアクセスできるようになる。なお、テレビ４は、インターネットと通信可能な電子辞書といった容易に携帯できる通信機器でもよい。
【００６０】
（情報提供の詳細）
次に、第２のウェブサービス８が、ユーザが携帯電話２を用いて購入した書籍に関する情報（購買履歴情報）である利用情報を第１のウェブサービス６から受信し、当該利用情報に関連する、第２のウェブサービス８内における書籍に関する情報をテレビ４に提供するまでについて図４を参照して説明する。図４は、第２のウェブサービス８から情報を提供された際におけるテレビ４の表示画面を示している。
【００６１】
まず、上述したように、第１のウェブサービス６の利用情報取得部２４は、ユーザが携帯電話２を用いて第１のウェブサービス６において購入した書籍を特定する。特定した書籍各々には、書籍に関する属性情報が定められている。属性情報には、書籍管理番号、書籍名、ジャンル、価格、ＩＳＢＮ番号（国際標準図書番号）、ページ数、大きさ、出版社、著者名などが含まれる。なお、この属性情報は、商品によって異なる。例えば、商品が音楽コンテンツである場合には、歌手名などが属性情報に含まれる。利用情報取得部２４は、利用情報として、当該書籍のこの属性情報を取得する。次に、利用情報送信部２６は、この属性情報に含まれる情報を、必要に応じて第２のウェブサービス８に送信する。ここでは、属性情報に含まれる各情報のうち、予め優先度を高く設定してある書籍のジャンルという属性情報を第２のウェブサービス８に送信する。具体的には、ユーザが携帯電話２を用いて第１のウェブサービス６において購入した書籍が、「関東鉄道旅行」（書籍名）である場合には、予め優先度を高く設定してある当該書籍のジャンルの情報である「鉄道関係」という属性情報を利用情報として、第２のウェブサービス８に送信する。
【００６２】
第２のウェブサービス８の利用情報受信部３２は、第１のウェブサービス６から受信した利用情報である属性情報、すなわち「鉄道関係」という書籍のジャンルの情報を受信する。次に、第２のウェブサービス８の推薦情報取得部３４は、受信した属性情報である「鉄道関係」のジャンルに所属している第２のウェブサービス８内の書籍を特定し、書籍「日本全国鉄道旅行」の情報を取得する。
【００６３】
また、利用情報送信部２６は、属性情報に含まれる情報全てを第２のウェブサービス８に送信してもよい。この場合には、推薦情報取得部３４は、全ての属性情報のうち予め優先度が最も高く設定されている属性情報１つを特定する。次に、推薦情報取得部３４は、第２のウェブサービス８内の情報のうちの、特定した属性情報に関連する情報を推薦情報として取得する。
【００６４】
次に、第２のウェブサービス８の推薦情報送信部３６は、特定した書籍「日本全国鉄道旅行」の情報をテレビ４に送信する。テレビ４の推薦情報受信部１８は、受信した書籍の情報を受信し、推薦情報表示部２０が、図４に示すようにテレビ４の表示画面に表示する。なお、図４に示すプログラミング大全においても同様に、第２のウェブサービス８の推薦情報取得部３４は、第１のウェブサービス６から受信した属性情報であるジャンルの情報に関連する、第２のウェブサービス８内の書籍の情報を取得する。
【００６５】
また、推薦情報としての書籍を特定するための属性情報は、ジャンルでなくともよい。例えば、書籍の価格または書籍の管理番号などといった他の属性情報によって書籍を特定してもよい。この場合には、第１のウェブサービス６は、属性情報として書籍の価格または書籍の管理番号などの属性情報を第２のウェブサービス８に送信し、第２のウェブサービス８は、当該書籍の価格または書籍の管理番号に関連する推薦情報を取得する。また、推薦情報を取得するための方法は、書籍またはＤＶＤといった商品の種類についての情報、またはユーザの操作履歴情報でもよい。
【００６６】
なお、ウェブサービスシステム１においては、書籍を用いて説明した。しかしながら、本発明はこれに限定されない。すなわち、商品であれば何でもよい。この商品としては、例えば、チケットもしくは音楽コンテンツなどの形のある商品、または、旅行商品などの形のない商品も含まれる。また、ブログを特定する場合には、ブログは共通のデータ形式を持っているため、このデータ形式を用いてブログを特定してもよい。共通のデータ形式としては、ブログのタイトル、要約、または本文といったものがある。
【００６７】
また、ウェブサービスシステム１においては、第２のウェブサービス８は、第１のウェブサービス６から取得した書籍に関する情報に関連する、第２のウェブサービス８内の書籍を特定し、当該書籍に関する情報を推薦情報として取得した。しかしながら、第２のウェブサービス８は、第１のウェブサービス６から取得した情報に関連する第２のウェブサービス８内の情報と、第１のウェブサービス６から取得した情報そのものとを合成した情報を推薦情報として取得してもよい。
【００６８】
例えば、第１のウェブサービス６が地図上における位置から飲食店を検索できる飲食店検索サービスであり、第２のウェブサービス８がユーザが撮影した位置情報付き写真を地図上に表示するサービスである場合に、第２のウェブサービス８におけるユーザが撮影した写真上に、第１のウェブサービス６において検索した飲食店の位置情報を重ねて表示する。
【００６９】
すなわち、この場合には、推薦情報取得部３４は、第１のウェブサービス６から取得した、第１のウェブサービス６において検索された飲食店を含む地図情報に定められている属性情報と、第２のウェブサービス８において、ユーザが撮影した写真が表示された地図情報に定められている属性情報とから、地図上における同じ箇所を特定する。この属性情報は、地図の縮尺率、地図の大きさ、地図中心の緯度および経度、または地図上の付随情報（ランドマーク情報）といった情報である。次に、推薦情報取得部３４は、この２つの地図情報を合成した地図情報を取得する。推薦情報送信部３６は、この合成した地図情報をテレビ４に送信する。これにより、ユーザは、ユーザ自身が撮影した写真が表示された地図上において、検索した飲食店を確認することができる。
【００７０】
また、推薦情報は、当該ユーザ以外の他のユーザのコメントといった、他のユーザによる商品についての評価に関連する情報であってもよい。この他のユーザは１人でもよいし、複数のユーザでもよい。この処理について説明する。
【００７１】
利用情報取得部２４は、組情報受信部２２が組情報を受信した際に、属性情報として、利用情報であるジャンルの情報に加えて、当該書籍についての他のユーザによる評価に関する評価情報をさらに取得する。この評価情報は、例えば当該書籍を購入して良かったまたは悪かったといった情報である。次に、利用情報送信部２６は、当該書籍のジャンルの情報と、評価情報との２つの属性情報を第２のウェブサービス８に送信する。
【００７２】
利用情報受信部３２は、この書籍のジャンルの情報と評価情報とを受信する。次に、推薦情報取得部３４は、当該書籍のジャンルの情報と評価情報とから、第２のウェブサービス８内の、ユーザに推薦する推薦情報を取得する。これにより、ユーザは、他のユーザによる商品についての評価に関連する、第２のウェブサービス８内の推薦情報を取得することができる。
【００７３】
また、ウェブサービスシステム１においては、第１のウェブサービス６を利用する端末を携帯電話２とし、第２のウェブサービス８を利用する端末をテレビ４とした。しかしながら、第１のウェブサービス６を利用する端末をテレビ４とし、第２のウェブサービス８を利用する端末を携帯電話２としてもよい。また、携帯電話２およびテレビ４の替わりに、第１のウェブサービス６または第２のウェブサービス８に接続可能で、上述した機能を実現することができる機器であればよい。例えば、第１のウェブサービス６または第２のウェブサービス８に接続可能な電子辞書、携帯音楽プレイヤー、またはパソコンを用いてもよい。
【００７４】
また、組情報は、ユーザが携帯電話２を用いて第１のウェブサービス６を初めて利用する際に作成され、携帯電話２に保存される。したがって、同じユーザが携帯電話２を用いて第１のウェブサービス６を再度利用する際には、携帯電話２に保存されているこの組情報を利用できる。このため、ユーザが携帯電話２を用いて第１のウェブサービス６を再度利用する際に、携帯電話２は新たに組情報を作成する必要は無い。また、第１のウェブサービス６が当該ユーザのユーザアカウントを保存しておくようにしてもよい。この場合には、携帯電話２は組情報を保存しておく必要は無い。すなわち、携帯電話２は、第１のウェブサービス６を再度利用する際に、第１のウェブサービス６が保存しているユーザアカウントを取得すればよい。なお、ユーザアカウントにパスワードを含めたり、ユーザアカウントを暗号化したりしてもよい。これによりセキュリティが高まるため、ユーザに、より安全にサービスを提供することができる。
【００７５】
ユーザアカウントを暗号化してセキュリティを高めるためには、公開鍵暗号方式の利用が考えられる。まず、携帯電話２は、第１のウェブサービス６の公開鍵を利用して暗号化を行う。テレビ４で第２のウェブサービス８を利用する際、携帯電話２で暗号化されたユーザアカウントを含む組情報を第２のウェブサービス８に送信する。第２のウェブサービス８は、第１のウェブサービスにアクセスする際、暗号化されたユーザアカウントを含む組情報を送信する。第１のウェブサービス６は、自らの秘密鍵で複号を行い、認証処理を行う。これにより、ユーザは、第一のウェブサービス６のアカウント情報を、途中の伝達路であるテレビ４や第２のウェブサービス８に知られることがない。そのため、セキュリティが高まる。
【００７６】
また、携帯電話２と第１のウェブサービス６との間に作成される組情報は１つであるとは限らない。例えば、第１のウェブサービス６がメールサービスである場合には、ユーザアカウントとして、同じユーザが複数のメールアドレスを取得できる。この場合には、メールアドレス各々に対応する複数の組情報が作成される。一方、一般的な携帯電話２と第１のウェブサービス６とにおいてユーザアカウントが機器ごとに決められている場合、または携帯電話２と第１のウェブサービス６との間の回線を通信業者が回線ごとに管理している場合には、携帯電話２と第１のウェブサービス６との間の組情報は１つとなる。
【００７７】
（プログラムおよび記憶媒体）
最後に、ウェブサービスシステム１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００７８】
すなわちウェブサービスシステム１は、各機能を実現する制御プログラムのプログラムコード（実行形式プログラム、中間コードプログラム、ソースプログラム）をコンピュータで読み取り可能に記録していればよい。ウェブサービスシステム１（またはＣＰＵやＭＰＵ）が、供給された記録媒体に記録されているプログラムコードを読み出し、実行すればよい。
【００７９】
プログラムコードをウェブサービスシステム１に供給する記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００８０】
またウェブサービスシステム１は、通信ネットワークと接続可能に構成しても、本発明の目的を達成できる。この場合、上記のプログラムコードを、通信ネットワークを介してウェブサービスシステム１に供給する。この通信ネットワークは、ウェブサービスシステム１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、移動体通信網、衛星通信網等であればよい。
【００８１】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００８２】
〔実施形態２〕
本発明に係る第２の実施形態について、図５を参照して以下に説明する。なお、上述した第１の実施形態と共通する各部材には同じ符号を付し、詳細な説明を省略する。
【００８３】
（ウェブサービスシステム１’における処理）
携帯電話２および第１のウェブサービス６が複数存在する場合について図５を参照して説明する。図５は、携帯電話２および第１のウェブサービス６が複数存在するウェブサービスシステム１’の構成を示す図である。図５に示すように、ウェブサービスシステム１’は、携帯電話２、携帯電話２’、テレビ４、第１のウェブサービス６、第１のウェブサービス６’、および第２のウェブサービス８を備えている。携帯電話２、テレビ４、第１のウェブサービス６、および第２のウェブサービス８の要部構成はウェブサービスシステム１と同様である。また、携帯電話２’の要部構成は携帯電話２と、 第１のウェブサービス６’の要部構成は第１のウェブサービス６’と同様である。
【００８４】
携帯電話２の組情報作成部１０は、第１のウェブサービス６を利用した際に組情報を保存する。また、携帯電話２の組情報作成部１０は、第１のウェブサービス６’を利用した際にも、上記組情報とは別の組情報を保存する。したがって、携帯電話２は２つの組情報を保存する。同様に、携帯電話２’の組情報作成部１０は、第１のウェブサービス６を利用した際、および第１のウェブサービス６’を利用した際の２つの組情報を保存する。すなわち、ウェブサービスシステム１’においては４つの組情報が存在する。なお、上述したように、第１のウェブサービス６または第１のウェブサービス６’がメールサービスである場合には、５つ以上の組情報が作成されてもよい。なお、携帯電話２を利用するユーザと、携帯電話２’を利用するユーザとは、同一ユーザであってもよいし、違うユーザであってもよい。
【００８５】
次に、テレビ４は、携帯電話２および携帯電話２’各々の組情報送信部１２から送信された上記４つの組情報を受信する。次に、テレビ４は、受信した４つの組情報を第２のウェブサービス８に送信する。第２のウェブサービス８は、この４つの組情報を第１のウェブサービス６および第１のウェブサービス６’各々に送信する。第１のウェブサービス６の組情報受信部２２は、この４つの組情報の中から、携帯電話２が第１のウェブサービス６を利用した際の組情報と、携帯電話２’が第１のウェブサービス６を利用した際の組情報との２つの組情報、すなわち第１のウェブサービス６のＵＲＩが含まれる組情報を受信する。次に、第１のウェブサービス６の利用情報取得部２４は、この２つの組情報に基づいて、携帯電話２が第１のウェブサービス６において購入した書籍および携帯電話２’が第１のウェブサービス６において購入した書籍を特定し、当該書籍に関する情報を取得する。次に、第１のウェブサービス６の利用情報送信部２６は、この当該書籍に関する情報を第２のウェブサービス８に送信する。同様に、第１のウェブサービス６’は、上記４つの組情報の中から、携帯電話２が第１のウェブサービス６’を利用した際の組情報と、携帯電話２’が第１のウェブサービス６’を利用した際の組情報との２つの組情報を受信し、当該組情報に基づいて書籍を特定し、当該書籍に関する情報を第２のウェブサービス８に送信する。
【００８６】
第２のウェブサービス８の利用情報受信部３２は、この書籍に関する４つの情報を受信する。次に、推薦情報取得部３４は、この４つの情報全てに関連する、第２のウェブサービス８内の書籍を特定し、当該書籍に関する情報を取得する。なお、この情報の取得方法は、ウェブサービスシステム１と同様のため説明は省略する。次に、第２のウェブサービス８の推薦情報送信部３６は、この書籍に関する情報をテレビ４に送信する。
【００８７】
以上のように、ウェブサービスシステム１’においては、第１のウェブサービス６および第１のウェブサービス６’から第２のウェブサービス８に送信される書籍に関する情報は４つ存在する。このため、第２のウェブサービス８内における情報のうち、ユーザの好みに即した多くの情報をテレビ４に提供することができる。また、携帯電話２のユーザと、携帯電話２’のユーザとが別々のユーザである場合には、複数のユーザ各々の好みに即した情報を同時に提供することができる。
【００８８】
また、ウェブサービスシステム１’においては、第１のウェブサービス６および第１のウェブサービス６’を利用する端末を２つとも携帯電話、すなわち携帯電話２および携帯電話２’としたが本発明はこれに限定されない。例えば、上記端末は、携帯電話２とテレビ４とが１つずつであってもよい。また、携帯電話２およびテレビ４の替わりに第１のウェブサービス６に接続可能な電子辞書、携帯用音楽プレイヤー、またはパソコンを用いてもよい。同様に、第２のウェブサービス８を利用する端末として、電子辞書、携帯用音楽プレイヤー、またはパソコンを用いてもよい。また、ウェブサービスシステム１’においては、第１のウェブサービス６、および第１のウェブサービスを利用する端末である携帯電話２を２つずつとしたが本発明はこれに限定されない。例えば、第１のウェブサービス６または携帯電話２のいずれかが１つであってもよいし、３つ以上あってもよい。
【００８９】
また、ウェブサービスシステム１と同様に、ウェブサービスシステム１’においても第２のウェブサービス８が携帯電話２および携帯電話２’から組情報を直接受信してもよい。
【００９０】
（付記事項）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれ、また、請求項に示した範囲で適宜変更した技術的手段を組み合わせて得られる実施形態についても本発明の技術的範囲に含まれる。
【００９１】
また本発明は、以下の点を特徴としていると換言することができる。
【００９２】
１．第一のウェブサービスを利用し第一のウェブサービスのＵＲＩとユーザアカウントの組情報を保持する第一の端末と，第二の端末で第二のウェブサービスを利用する際前記組情報を取得し第二のウェブサービスに送信する第二の端末と，前記組情報を用いて第一のウェブサービスから情報を取得する第二のウェブサービスとを備えたこと特徴とするシステム。
【００９３】
２．前記第一のウェブサービスは，ユーザの位置情報や，履歴情報や，操作履歴情報や，ユーザの趣味嗜好情報を備えたことを特徴とする１に記載のシステム。
【００９４】
３．前記第二のウェブサービスは，履歴情報や，操作履歴情報や，ユーザの趣味嗜好情報を元にユーザへの推薦情報を作成することを特徴とする１に記載のシステム。
【００９５】
４．前記第一の端末は，パソコンを含むネットワークに接続可能な情報家電であることを特徴とする１に記載のシステム。
【００９６】
５．前記第二の端末は，パソコンを含むネットワークに接続可能な情報家電であることを特徴とする１に記載のシステム。
【００９７】
６．前記組情報は，アカウントに対するパスワードを含むことを特徴とする１に記載のシステム。
【００９８】
７．前記第一の端末が複数存在することを特徴とする１に記載のシステム。
【００９９】
８．前記第一のウェブサービスが複数存在することを特徴とする１に記載のシステム。
【０１００】
９．前記組情報が複数存在することを特徴とする１に記載のシステム。
【産業上の利用可能性】
【０１０１】
本発明は、ユーザにとって利便性の高い、ウェブサービス内の情報を提供するウェブサービスシステム一般において広く利用できる。
【符号の説明】
【０１０２】
１、１’  ウェブサービスシステム
２、２’  携帯電話（第１の端末）
４        テレビ（第２の端末）
６、６’  第１のウェブサービス
８        第２のウェブサービス
１０      組情報作成部（組情報作成手段）
１２      組情報送信部（第１の組情報送信手段）
１４      組情報受信部（第３の組情報受信手段）
１６      組情報送信部（第３の組情報送信手段）
１８      推薦情報受信部（推薦情報受信手段）
２０      推薦情報表示部（推薦情報表示手段）
２２      組情報受信部（第２の組情報受信手段）
２４      利用情報取得部（利用情報取得手段）
２６      利用情報送信部（利用情報送信手段）
２８      組情報受信部（第１の組情報受信手段）
３０      組情報送信部（第２の組情報送信手段）
３２      利用情報受信部（利用情報受信手段）
３４      推薦情報取得部（推薦情報取得手段）
３６      推薦情報送信部（推薦情報送信手段）
【図１】
2011018310.tif 000003
【図２】
2011018310.tif 000004
【図３】
2011018310.tif 000005
【図４】
2011018310.tif 000006
【図５】
2011018310.tif 000007